(57)【要約】【課題】この発明は床板体の下面側の空間部を有効に利用することができるようにした起床式ベッド装置を提供することにある。【解決手段】固定床部４及びこの固定床部に回動可能に連結された背上げ床部５を有する床板体２と、この床板体の幅寸法よりも小さな幅寸法に形成され上面で上記床板体の幅方向の一方の端部を支持するとともに上記固定床部の幅方向の一方の端部が取付け固定されるベースフレーム１と、このベースフレームに並設され上記床板体の上記ベースフレームによって支持された幅方向の一方の端部と反対側の端部を上記ベースフレームと同じ高さで支持する箱状の収納体６７と、上記ベースフレームに設けられ上記床板体の可動床部を起伏駆動する駆動機構３１とを具備する。【選択図】    図１
2004248808.tif 000002
【特許請求の範囲】
【請求項１】
固定床部及びこの固定床部に回動可能に連結された可動床部を有する床板体と、
この床板体の幅寸法よりも小さな幅寸法に形成され上面で上記床板体の幅方向の一方の端部を支持するとともに上記固定床部の幅方向の一方の端部が取付け固定されるベースフレームと、
このベースフレームに並設され上記床板体の上記ベースフレームによって支持された幅方向の一方の端部と反対側の端部を上記ベースフレームと同じ高さで支持する箱状の収納体と、
上記ベースフレームに設けられ上記床板体の可動床部を起伏駆動する駆動機構と
を具備したことを特徴とする起床式ベッド装置。
【請求項２】
上記床板体の可動床部は、上記固定床部の幅方向と交差する方向の一端に回動可能に連結された背上げ床部を有し、
上記駆動機構は、駆動源と、上記ベースフレームの幅方向に沿って所定間隔で離間して設けられ先端部にローラが設けられるとともに上記駆動源によって回転駆動される一対の第１のアームとを有し、
上記背上げ床部の下面には、幅方向の一方の端部と中途部とに上記一対の第１のアームとほぼ同じ間隔で離間して設けられ各第１のアームに設けられたローラがそれぞれ転接する一対の第１のガイド部材と、上記ローラが上記ガイド部材から離れるのを制限することで上記背上げ床部の幅方向の他方の端部に荷重が加わったときにこの背上げ床部が捩れるのを阻止する捩れ防止部材とが設けられていることを特徴とする請求項１記載の起床式ベッド装置。
【請求項３】
上記床板体の可動床部は、上記固定床部の幅方向と交差する方向の他端に順次回動可能に連結された第１の脚床部と第２の脚床部を有し、
上記駆動機構は、駆動源と、この駆動源によって回転駆動されるとともに先端部にローラが設けられ上記ベースフレームの幅方向に沿って所定間隔で離間した一対の第２のアームを有し、
上記ベースフレームの上記第２の脚床部の端部に対応する部位には、このベースフレームの幅方向に沿って架設された第１の取付けロッドに連結リンクの一端部が回動可能に取付けられ、
上記第２の脚床部の端部には幅方向の一端部側と他端部側とにそれぞれ複数の取付け片が一端部を固着して設けられ、
上記第２の脚床部の幅方向の一方の端部の複数の取付け片の他端部と上記連結リンクの他端部とは、上記第２の脚床部が他方の端部に加わる荷重によって幅方向に捩れるのを防止する第２の取付けロッドによって回動可能かつ着脱可能に連結されていることを特徴とする請求項１記載の起床式ベッド装置。
【発明の詳細な説明】
【０００１】
【発明の属する技術分野】
この発明は床板体の一部を駆動機構によって起伏させることができる起床式ベッド装置に関する。
【０００２】
【従来の技術】
身体が不自由な老人や病人などは、仰臥した状態から自力で身体を起こすことができないことがあり、そのような利用者のために、ベッド装置のマットレスが載置される床板体の、少なくとも利用者の上半身に対応する部分を駆動機構によって起伏駆動できるようにした、いわゆる起床式ベッド装置が利用されている。
【０００３】
このような起床式ベッド装置は、病院で用いられることがほとんどであったが、最近では家庭で介護が行なわれるようになってきているため、家庭への普及が著しい。起床式ベッド装置を家庭で用いる場合、そのベッド装置が設置されるスペースをできるだけ有効に利用することが望まれる。
【０００４】
通常のベッド装置の場合、スペースの有効利用を図るため、マットレスが載置される基体を箱形状に形成し、その基体に引き出しを出し入れ可能に設けることで、基体の内部空間を衣類や小物類の収納部として利用するということが行なわれている。
【０００５】
ところで、起床式ベッド装置は、床板体を可動床部と固定床部とに分割し、固定床部をベースフレームに固定して設け、可動床部をベースフレームに設けられた駆動機構によって起伏駆動する構成となっている。駆動機構は、駆動源と、この駆動源によって回動駆動される一対のアームを有し、アームの先端部に設けられたローラで上記可動床部を押し上げて上昇させるようになっている。
【０００６】
従来、上記ベースフレームと床板体とはほぼ同じ幅寸法に形成され、上記駆動機構はベースフレームの幅方向中央部に設けられている。そして、一対のアームは可動床部の幅方向中心に対して左右ほぼ対称の位置に設けられている。
【０００７】
【発明が解決しようとする課題】
ベースフレームの幅方向中央部に設けられた駆動機構は、このベースフレームの下面側に大きく突出している。そのため、ベースフレームに設けられた床板体の下面側に収容部として利用することができる空間部を確保することが難しいため、起床式ベッド装置が設置されるスペースを有効に利用することができないということがあった。
【０００８】
この発明は、床板体の下面側に衣服や小物類などを収容する収容部を確保することができるようにした起床式ベッド装置を提供することにある。
【０００９】
【課題を解決するための手段】
この発明は、固定床部及びこの固定床部に回動可能に連結された可動床部を有する床板体と、
この床板体の幅寸法よりも小さな幅寸法に形成され上面で上記床板体の幅方向の一方の端部を支持するとともに上記固定床部の幅方向の一方の端部が取付け固定されるベースフレームと、
このベースフレームに並設され上記床板体の上記ベースフレームによって支持された幅方向の一方の端部と反対側の端部を上記ベースフレームと同じ高さで支持する箱状の収納体と、
上記ベースフレームに設けられ上記床板体の可動床部を起伏駆動する駆動機構と
を具備したことを特徴とする起床式ベッド装置にある。
【００１０】
上記床板体の可動床部は、上記固定床部の幅方向と交差する方向の一端に回動可能に連結された背上げ床部を有し、
上記駆動機構は、駆動源と、上記ベースフレームの幅方向に沿って所定間隔で離間して設けられ先端部にローラが設けられるとともに上記駆動源によって回転駆動される一対の第１のアームとを有し、
上記背上げ床部の下面には、幅方向の一方の端部と中途部とに上記一対の第１のアームとほぼ同じ間隔で離間して設けられ各第１のアームに設けられたローラがそれぞれ転接する一対の第１のガイド部材と、上記ローラが上記ガイド部材から離れるのを制限することで上記背上げ床部の幅方向の他方の端部に荷重が加わったときにこの背上げ床部が捩れるのを阻止する捩れ防止部材とが設けられていることが好ましい。
【００１１】
上記床板体の可動床部は、上記固定床部の幅方向と交差する方向の他端に順次回動可能に連結された第１の脚床部と第２の脚床部を有し、
上記駆動機構は、駆動源と、この駆動源によって回転駆動されるとともに先端部にローラが設けられ上記ベースフレームの幅方向に沿って所定間隔で離間した一対の第２のアームを有し、
上記ベースフレームの上記第２の脚床部の端部に対応する部位には、このベースフレームの幅方向に沿って架設された第１の取付けロッドに連結リンクの一端部が回動可能に取付けられ、
上記第２の脚床部の端部には幅方向の一端部側と他端部側とにそれぞれ複数の取付け片が一端部を固着して設けられ、
上記第２の脚床部の幅方向の一方の端部の複数の取付け片の他端部と上記連結リンクの他端部とは、上記第２の脚床部が他方の端部に加わる荷重によって幅方向に捩れるのを防止する第２の取付けロッドによって回動可能かつ着脱可能に連結されていることが好ましい。
【００１２】
この発明によれば、ベースフレームの幅寸法を床板体の幅寸法よりも小さくしてこのベースフレームに駆動機構を設け、床板体の幅方向のベースフレームが設けられていない部分に箱状の収納体を設けるため、この収容体を収容部として利用することができる。
【００１３】
【発明の実施の形態】
以下、図面を参照しながらこの発明の一実施の形態を説明する。
【００１４】
図１乃至図１１はこの発明の一実施の形態を示し、図１（ａ），（ｂ）に示す起床式ベッド装置はベースフレーム１を備えている。このベースフレーム１の上面には床板体２が設けられている。上記ベースフレーム１は平面形状が上記床板体２の約半分の幅寸法の矩形枠状に形成されていて、その四隅部に設けられた脚３によって所定の高さで支持されている。
【００１５】
上記床板体２は複数の床部、この実施の形態では４つの床部に分割されている。すなわち、上記ベースフレーム１の長手方向中途部に幅方向の一端部が固定して設けられた固定床部４と、この固定床部４の幅方向と交差する方向の一端に回動可能に連結された可動床部としての背上げ床部５と、上記固定床部４の幅方向と交差する方向の他端に順次回動可能に連結された、同じく可動床部としての第１の脚床部６及び第２の脚床部７とからなる。
【００１６】
図２（ａ）に示すように、固定床部４、背上げ床部５及び第１の脚床部６は、それぞれ一対の直線状のパイプ材８ａ，８ｂ，８ｃを帯板状の連結部材９ａ，９ｂ，９ｃで連結して形成され、上記第２の脚床部７はコ字状に曲成されたパイプ材１１の両端部を連結部材１２で連結して形成されている。
【００１７】
上記固定床部４の一対のパイプ材８ａと一対の連結部材９ａとには、幅方向に対して左右対称に合計８つの第１の取付け孔１３が形成されている。上記ベースフレーム１の一対の側部材１ａの長手方向中途部上面には、図２（ｂ）に示すようにそれぞれ一対のねじ孔１４が形成されている。
【００１８】
そして、固定床部４は、図１（ａ），（ｂ）及び図５に示すように幅方向一端部側の４つの第１の取付け孔１３を上記ベースフレーム１の一対の側部材１ａの長手方向中途部上面に形成されたねじ孔１４にねじ１４ａによって固定して設けられている。
【００１９】
つまり、床板体２は、幅方向の一端部がベースフレーム１の上面に支持されるとともに、固定床部４の幅方向の一端部が上記ベースフレーム１に取付け固定されることで、このベースフレーム１に対して取外し可能に取付けられている。したがって、床板体２は、固定床部４とベースフレーム１とのねじ１４ａによる連結を解除し、幅方向の他端部を上記ベースフレーム１の上面に支持させて固定することもできるようになっている。
【００２０】
図２（ａ）に示すように、上記背上げ床部５の両端に位置する一対の連結部材９ｂには、それぞれ２つで対をなす合計８つの第１のねじ孔１５が幅方向に対して左右対称に形成されている。
【００２１】
図４に示すように、幅方向一端部に位置する一対の連結部材９ｂの各２組の第１のねじ孔１５には、一対の連結部材９ｂの下面に設けられた帯板状の第１の取付け部材１６が上記ねじ孔１５に螺合されたねじ１６ａによって着脱可能に固定されている。これら一対の連結部材９ｂにはパイプからなる一対の第１のガイド部材１７の両端部が溶接などの手段によって固着されている。つまり、一対の第１のガイド部材１７は、背上げ床部５の幅方向に平行に離間するとともに、幅方向と交差する方向に沿って設けられている。
【００２２】
図２（ａ）と図８（ａ），（ｂ）に示すように、上記第１の脚床部６の一対の連結部材９ｃには、幅方向に対して左右対称にそれぞれ２つで対をなす８つの第２のねじ孔１８が形成されている。幅方向一端部に位置する４つの第２のねじ孔１８には一対の連結部材９ｃの下面に設けられた帯板状の第２の取付け部材１９が上記第２のねじ孔１８に螺合されたねじ１９ａによって着脱可能に固定されている。
【００２３】
上記一対の第２の取付け部材１９の両端部には、パイプ材からなる一対の第２のガイド部材２０の両端部が固着されている。つまり、一対の第２のガイド部材２０は、第１の脚上げ床部６の幅方向に平行に離間するとともに、幅方向と交差する方向に沿って設けられている。
【００２４】
図２（ａ）に示すように、床板体２の各床部４〜７の幅方向両側内面にはそれぞれアングル材からなる受け部材２３が一辺を固着して設けられている。図６に示すように、床板体２には、各床部４〜７に設けられた受け部材２３の幅方向両端部を係合させて簾の子２４が載置される。
【００２５】
上記簾の子２４は、長手方向の両端部に連結部材２５が設けられた多数の桟２６を所定間隔で配置し、隣り合う連結部材２５をリンク２７によって回動可能に連結されてなる。それによって、簾の子２４は後述するごとく床板体２の背上げ床部５や第１、第２の脚床部６，７を起伏駆動すると、これら床部の起伏に応じて屈曲可能となっている。
【００２６】
上記簾の子２４の上面には図示しないマットレスが載置される。このマットレスとしては簾の子２４とともに折り曲げ可能なものが用いられる。なお、第２の脚床部７の端部には、図１（ａ），（ｂ）と図６に示すように簾の子２４の上面に載置された上記マットレスが第２の脚床部７側へ滑るのを防止するためのずれ止め防止部材２８が設けられている。このずれ止め防止部材２８は棒材を側面形状がほぼＬ字状で、正面形状がほぼチャンネル状になるよう曲成してなり、その両端部が上記第２の脚床部７のパイプ材１１の中途部に取付け固定されている。
【００２７】
上記ベースフレーム１には上記床板体２の可動床部である、背上げ床部５、第１、第２の脚床部６，７を起伏駆動するための駆動機構３１が設けられている。この駆動機構３１は図３に示すように箱形状のボックス３２を有する。このボックス３２の一側面にはモータからなる駆動源３３が設けられている。
【００２８】
上記ボックス３２の長手方向一端部と他端部とには、それぞれ第１の回転軸３４と第２の回転軸３５とが幅方向に貫通して設けられている。上記駆動源３３が作動すると、上記第１の回転軸３４が上記ボックス３２に内蔵された図示しない動力伝達機構を介して回転駆動されるようになっている。
【００２９】
上記第１の回転軸３４と第２の回転軸３５との一端部には連結片３６ａ，３６ｂが設けられている。これら連結片３６ａ，３６ｂには、連動杆３７が一端部と他端部とを枢着して連結されている。上記第１の回転軸３４が回転駆動されると、その回転は上記連動杆３７によって第２の回転軸３５に伝達されるようになっている。つまり、図６に矢印で示すように、第１の回転軸３４が反時計方向に回転すると、第２の回転軸３５が時計方向に回転するようになっている。
【００３０】
上記第１の回転軸３４の両端部には第１のアーム４１の基端部が固着されている。これら第１のアーム４１の先端部は連結軸４２によって連結され、この連結軸４２の両端には第１のローラ４３が回転可能に設けられている。
【００３１】
上記第２の回転軸３５の両端部には第２のアーム４４の基端部が固着されている。第２のアーム４４の先端部は連結軸４５によって連結され、この連結軸４５の両端には第２のローラ４６が回転可能に設けられている。
【００３２】
上記第１の回転軸３４と第２の回転軸３５との一端部はダンパを構成するガススプリング４７によって連結されている。それによって、起上した第１、第２のアーム４１，４６に荷重が衝撃的に加わっても、これらアーム４１，４６の倒伏方向への回動が減速されるようになっている。
【００３３】
図２（ｂ）に示すように、上記ベースフレーム１の一対の側部材１ａの内面には、それぞれ一対の受け部材５１が上記駆動機構３１の一対の回転軸３４，３５の間隔と同じ間隔で離間して設けられている。この受け部材５１は、図７に示すように板材を側面形状がほぼコ字状をなすように折り曲げてなり、この受け部材５１には受け溝５２が上面と側面とに開放して形成されている。
【００３４】
上記受け溝５２には、上記各回転軸３４，３５の端部を回転可能に支持する軸受部材５３がその内面に形成された係合溝５４を上記受け部材５１の受け溝５２の周辺部に係合させて設けられている。
【００３５】
そして、上記第１の回転軸３４と第２の回転軸３５との両端部は、上記軸受部材５３に回転可能に支持される。軸受部材５３に第１、第２の回転軸３４，３５を支持したならば、抜け止めクリップ５５を上記受け部材５１の上辺に係合保持する。この抜け止めクリップ５５は各回転軸３４，３５の端部に形成された周回溝３４ａ，３５ａに係合する。それによって、各回転軸３４，３５は受け部材５１の軸受部材５３から外れることなく保持される。つまり、駆動機構３１は第１、第２の回転軸３４，３５を介してベーフレーム１に保持される。
【００３６】
上記駆動機構３１をベースフレーム１に保持すると、図６に示すように第１のアーム４１に設けられた第１のローラ４３が背上げ床部５の下面に設けられた一対の第１のガイド部材１７に当接し、第２のアーム４４に設けられた第２のローラ４６が第１の脚床部６の下面に設けられた第２のガイド部材２０に当接する。
【００３７】
図４に示すように、背上げ床部５の幅方向の端部に位置する一方の第１のガイド部材１７には一対の取付け片５７が所定間隔で立設固定されている。一対の取付け片５７には一方の第１のアーム４１に設けられた第１のローラ４３が上記第１のガイド部材１７から離れるのを阻止する押えロッド５８の両端部が取付けられている。この押えロッド５８は、背上げ床部５の第１のローラ４３によって支持されていない幅方向の他端部に荷重が偏倚して加わったときに、この背上げ床部５が幅方向の端部側に捩れるのを防止する第１の触れ止め防止部材を構成している。
【００３８】
図６に示すように、第１のアーム４１が起上方向に駆動されて背上げ床部５が起上すると、第１のアーム４１に連動して第２のアーム４４も起上方向に駆動される。それによって、第１の脚床部６が起上するから、この第１の脚床部６に第２の脚床部７が連動し、これら脚床部６，７がほぼへの字状に屈曲する。
【００３９】
図９に示すように、ベースフレーム１の第２の脚床部７の末端部に対応する端部には第１の取付けロッド６１が幅方向に沿って回動可能に架設されている。この第１の取付けロッド６１の一端部には第１の連結リンク６２が設けられ、他端部には第２の連結リンク６３が設けられている。つまり、第１の連結リンク６２はベースフレーム１の幅方向一端部に設けられ、第２の連結リンク６３は幅方向他端部に設けられている。
【００４０】
上記第１の連結リンク６２は、図１０（ａ），（ｂ）に示すように２つのリンク片６２ａの一端部を連結ピン６２ｂで連結してなる。一対のリンク片６２ａの一端部と他端部とにはそれぞれ取付け孔６２ｃが形成されている。一対のリンク片６２ａはベースフレーム１の一方の側部材１ａを挟んで設けられ、これらリンク片６２ａの他端部に形成された取付け孔６２ｃに上記第１の取付けロッド６１が挿入固定されている。
【００４１】
上記第２の連結リンク６３は帯状板をほぼクランク状に折曲して形成され、一端部と他端部とにはそれぞれ取付け孔６３ａが形成されている。この第２の連結リンク６３は、一端部に形成された取付け孔６３ａに上記第１の取付けロッド６１の端部が挿入固定されている。
【００４２】
上記第１の連結リンク６２と第２の連結リンク６３の他端部の取付け孔６２ｃ、６３ａには第２の取付けロッド６４が回転可能かつ着脱可能に挿通支持されている。なお、第２の取付けロッド６４の両端には、この第２の取付けロッド６４が第１、第２のリンク６２，６３から抜けるのを防止するために、図示しない割りピンやＣリングなどが取外し可能に設けられている。
【００４３】
上記第２の脚上げ床部７の末端部、つまり脚上げ床部７を形成するコ字状に曲成されたパイプ１１の中途部には、それぞれ左右対称に各一対の取付け片６５が固着されている。各取付け片６５にはそれぞれ取付け孔６５ａが形成されている。
【００４４】
上記第１、第２の取付けリンク６２，６３の取付け孔６２ｃ、６３ａに回転可能かつ取外し可能に挿通支持された上記第２の取付けロッド６４は、上記第２の脚上げ床部７の幅方向一端部の一対の取付け片６５の取付け孔６５ａにも回転可能かつ着脱可能に挿通される。
【００４５】
つまり、ベースフレーム１と第２の脚床部７の幅方向一端部とは、ベースフレーム１に枢着された第１、第２の連結リンク６２，６３と、第２の脚床部７の幅方向一端部に設けられた一対の取付け片６５とが第２の取付けロッド６４によって連結されている。
【００４６】
したがって、図６に示すように第２のアーム４４が起上方向に回動して第１の脚床部６と第２の脚床部７とがへの字状に屈曲されると、第２の脚床部７の端部は第１、第２の連結リンク６２，６３を回動させながらベースフレーム１の上面を移動しながら浮上し、その状態でこれら第１、第２の連結リンク６２，６３によって支持される。しかも、第２の脚床部７の幅方向他端部に荷重が偏倚して加わっても、幅方向一端部がベースフレーム１に連結された第２の脚床部７は幅方向他端部側に捩れるのが防止される。
【００４７】
図１（ａ）及び図５に示すように、上記床板体２の幅方向他端部側の下面で、上記ベースフレーム１の側方には、上面がこのベースフレーム１の上面と同じ高さに形成された箱状の収納体６７が並設されている。つまり、上記床板体１は上記ベースフレーム１と収納体６７とによって所定の高さで支持されている。なお、上記収納体６７と上記床板体２の固定床部４の幅方向他端部とは固定しなくてもよいが、図５に示すようにねじ１４ａによって着脱可能に取付け固定してもよい。
【００４８】
上記収納体６７の一側面は開口していて、この開口部には図５に示すように床板体１の幅方向外方へ引き出すことができる複数、この実施の形態では３つの引き出し６８が出し入れ可能に設けられている。それによって、上記引き出し６８を小物類などの収容部として利用することができる。
【００４９】
上記構成の起床式ベッド装置によれば、ベースフレーム１の幅寸法を床板体２の幅寸法の半分に形成し、上記床板体２の幅方向の一端部をベースフレーム１によって支持し、幅方向の他端部を複数の引き出し６８が設けられた収納体６７によって支持するようにした。上記ベースフレーム１には床板体２の背上げ床部５、第１、第２の脚床部６，７を起伏駆動する駆動機構３１を設けるようにした。
【００５０】
つまり、ベースフレーム１の幅寸法を床板体２の幅寸法の半分にし、上記床板体２を、ベースフレーム１と、複数の引き出し６８が出し入れ自在に設けられた収納体６７とで支持するようにした。
【００５１】
そのため、床板体２を起伏駆動する駆動機構３１がベースフレーム１の下方へ大きく突出していても、この駆動機構３１によって制限を受けることなく、床板体２の幅方向の他端部の下面に箱形の収容体６７を設け、この収容体６７の引き出し６８を小物類の収容部などとして利用することができる。
【００５２】
すなわち、起床式ベッド装置が設置される空間部を、単なる設置空間としてだけではなく、小物類などの収容空間としても利用することができるから、起床式ベッド装置の設置空間の有効利用を図ることができる。
【００５３】
起床式ベッド装置の設置空間の有効利用を図るため、ベースフレーム１の幅寸法を、床板体２の幅寸法の半分にすると、駆動機構３１によって起伏駆動される背上げ床部５や第１、第２の脚床部６，７は幅方向の一端部の下面が第１、第２のアーム４１，４４に設けられた第１、第２のローラ４３，４６によって押し上げられることになる。そのため、第１、第２のローラ４３，４６によって起上させられた背上げ床部５や第２の脚床部７の幅方向他端部に、荷重が偏倚して加わると、これらの床部５，７が幅方向他端部側に捩れる虞がある。
【００５４】
しかしながら、背上げ床部５の幅方向一端部の外方に位置する第１のアーム４１に設けられた第１のローラ４３は、図４に示すように第１のガイド部材１７に設けられた押えロッド５８によって第１のガイド部材１７から離れるのが阻止されている。そのため、背上げ床部５の幅方向他端部に荷重が偏倚して加わっても、上記押えロッド５８によって背上げ床部５が捩れるのが阻止される。
【００５５】
第２の脚床部７の端部は図９に示すように、この第２の脚床部７の端部に固着された４つの取付け片６５のうち、幅方向一端部に設けられた一対の取付け片６５と、ベースフレーム１に取付けられた第１、第２の連結リンク６２，６３とを第２の取付けロッド６４によって連結している。
【００５６】
そのため、図６に示すように端部をベースフレーム１の上面から浮上させて屈曲した第２の脚床部７の幅方向他端部に荷重が偏倚して加わっても、この第２の脚床部７は幅方向一端部がベースフレーム１に連結されているから、他端部側に捩れることがない。第２の脚床部７が幅方向に捩れるのが防止されれば、この第２の脚床部７に連結された第１の脚床部６が捩れることもない。
【００５７】
このように、ベースフレーム１の幅寸法を、床板体２の幅寸法の半分にしても、起上方向に駆動された背上げ床部５や第１、第２の脚床部６，７がこれらに偏倚して加わる荷重によって幅方向に捩れるのを確実に防止できる。そのため、ベースフレーム１の幅寸法を小さくしてスペースの有効利用を図るようにしても、起床式ベッド装置の性能低下を招くことがない。
【００５８】
図１１はベースフレーム１を、床板体１の幅方向の他端部に設けた状態を示している。つまり、ベースフレーム１を図５に示す状態と床板体１の幅方向の反対側に設けるようにした。
【００５９】
上記床板体１の背上げ床部５の下面に設けられる第１のガイド体１７と、第１の脚床部６の下面に設けられる第２のガイド体２０とは、それぞれねじ１６ａ，１９ａによって着脱可能かつ床板体１の幅方向一端部と他端部とのどちら側であっても、取付け可能になっている。
【００６０】
したがって、上記第１のガイド部材１７と第２のガイド部材２０とを、各床部５，６の幅方向一端部側から取外して他端部側に取付ければ、これら床部５，６をベースフレーム１に設けられた駆動機構３１によって起伏駆動することができる。上記ベースフレーム１に並設される収容体６７は、引き出し６８が出し入れされる面を床板体２の幅方向外方に位置するよう向きを代えて設置する。
【００６１】
さらに、第２の脚床部７とベースフレーム１との連結構造は、第２の取付けロッド６４を取外すことで分解でき、しかもベースフレーム１に対して第２の脚床部７の幅方向一端部と他端部とのいずれであっても連結することができる。
【００６２】
したがって、ベースフレーム１と収容体６７とは、床板体２の幅方向に対し、どちらを幅方向の一端部側に設置しても、これらの上面に床板体２を設置することができる。そのため、たとえば床板体２の幅方向一側を室内の壁に接近させて設置するような場合、幅方向の他端部に収納体６７を設けるようにすれば、この収納体６７の引き出し６８を確実に利用することができる。
【００６３】
上記一実施の形態ではベースフレームと収納体とをそれぞれ床板体の幅寸法の半分の幅寸法にしたが、ベースフレームと収納体のどちらか一方を床板体の幅寸法の半分よりも大きな幅寸法とし、他方を小さな幅寸法にしてもよい。つまり、ベースフレームと収納体との両方の幅寸法の和が床板体の幅寸法とほぼ同じであればよい。
【００６４】
【発明の効果】
以上のようにこの発明によれば、ベースフレームの幅寸法を床板体の幅寸法よりも小さくしてこのベースフレームに駆動機構を設け、床板体の幅方向の一方の端部をベースフレームによって支持し、他方の端部を箱状の収納体によって支持するよういした。
【００６５】
そのため、床板体をベースフレームと収納体とで安定した状態で支持することができるとともに、床板体の下面側に設けられた収納体の空間部を小物類の収容場所として利用することができる。つまり、起床式ベッド装置では従来利用することができなかった床板体の下面側の空間部を有効に利用することが可能となる。
【図面の簡単な説明】
【図１】（ａ）はこの発明の一実施の形態に係る収納体を鎖線で示す起床式ベッド装置の斜視図、（ｂ）は収容体を取り除いた起床式ベッド装置の斜視図。
【図２】（ａ）は床板体の平面図、（ｂ）はベースフレームの平面図。
【図３】駆動機構の平面図。
【図４】背上げ床部を起上させた状態の斜視図。
【図５】起床式ベッド装置の平面図。
【図６】起床式ベッド装置の長手方向に沿う断面図。
【図７】ベースフレームに駆動機構を支持する受け部材の斜視図
【図８】（ａ）は第１の脚床部を下面側から見た平面図、（ｂ）は第１の脚床部の第２のガイド部材の取付け構造を示す拡大断面図。
【図９】ベースフレームと第２の脚床部との連結構造を示す斜視図。
【図１０】第１、第２の連結リンクを示す図。
【図１１】床板体の幅方向に対するベースフレームと収納体との配置関係を図５に示す状態と変えた状態の平面図。
【符号の説明】
１…ベースフレーム、２…床板体、４…固定床部、５…背上げ床部、６…第１の脚床部、７…第２の脚床部、３１…駆動機構、３４…第１の回転軸、３５…第２の回転軸、４１…第１のアーム、４３…第１のローラ、４４…第２のアーム、４６…第２のローラ、６７…収納体、６８…引き出し。
【図１】
2004248808.tif 000003
【図２】
2004248808.tif 000004
【図３】
2004248808.tif 000005
【図４】
2004248808.tif 000006
【図５】
2004248808.tif 000007
【図６】
2004248808.tif 000008
【図７】
2004248808.tif 000009
【図８】
2004248808.tif 000010
【図９】
2004248808.tif 000011
【図１０】
2004248808.tif 000012
【図１１】
2004248808.tif 000013